(57)【特許請求の範囲】
【請求項１】
縦柄（２）と、縦柄（２）の下端に取付け取外し自在に取付けられた十文字カッター部（３）と、縦柄（２）の下端に十文字カッター部を囲む状態で取付けられた保護枠（４）と、横カッターガイド（５）と、縦カッターガイド（６）と、スプリング止め具（７）と、コイルスプリング（８）から構成され、
縦柄（２）は、所定寸法に構成された丸棒体（２Ａ）と、丸棒体の上端に正面Ｔ字状に取付けられた握り手（２Ｂ）から構成され、
十文字カッター部（３）は、平面十文字状に連結された４枚の正面方形のブレード（３Ａ、３Ａ、．．）と、これら各ブレード（３Ａ、３Ａ、．．）の下面に中心より斜め上方に向け形成された傾斜刃（３Ａ１、３Ａ１、．．）から構成され、
保護枠（４）は、中心に縦柄が昇降自在に貫入される円孔を有するリング（４Ａ）と、リングを中心に配設された保護棒（４Ｂ、４Ｂ、．．）と、保護棒の下端に連結された水平円輪状のフィルム押え（４Ｃ）から構成され、
横カッターガイド（５）は、水平円輪状のフィルム押え（４Ｃ）の上面において、４枚のブレード（３Ａ、３Ａ、．．）を外方から遊嵌する平面十文字のガイド用横通路（５Ａ１）が形成され、
縦カッターガイド（６）は、保護棒（４Ｂ）にブレード（３Ａ）を外方から遊嵌するガイド用縦通路（６Ｂ）が形成され、
スプリング止め具（７）は、縦柄（２）の中間部分に遊嵌されたリング体（７Ａ）と、リング体に縦柄方向に進退する蝶ボルト（７Ｂ）から構成され、
コイルスプリング（８）は、縦柄（２）の中間から下方部分に遊嵌され、上端はスプリング止め具（７）に接し、下端は保護枠（４）のリング（４Ａ）に接するよう構成されていることを特徴とするマルチフィルム十文字カッター。
【請求項２】
縦柄（２）と、縦柄（２）の下端に取付け取外し自在に取付けられた十文字カッター部（３）と、縦柄（２）の下端に十文字カッター部を囲む状態で取付けられた保護枠（４）と、横カッターガイド（５）と、縦カッターガイド（６）と、スプリング止め具（７）と、コイルスプリング（８）から構成され、
縦柄（２）は、所定寸法に構成された丸棒体（２Ａ）と、丸棒体の上端に正面Ｔ字状に取付けられた握り手（２Ｂ）と、丸棒体の下端面中央に開設されたメスねじ穴（２Ｃ）から構成され、
十文字カッター部（３）は、平面十文字状に連結された４枚の正面方形のブレード（３Ａ、３Ａ、．．）と、これら各ブレード（３Ａ、３Ａ、．．）の下面に中心より斜め上方に向け形成された傾斜刃（３Ａ１、３Ａ１、．．）と、４枚のブレード（３Ａ、３Ａ、．．）における上面中心に上方に向け植設されたオスねじ（３Ｂ）から構成され、
保護枠（４）は、中心に縦柄が昇降自在に貫入される円孔を有するリング（４Ａ）と、リングを中心に四方に配設された保護棒（４Ｂ、４Ｂ、．．）と、保護棒の下端に連結された水平円輪状のフィルム押え（４Ｃ）から構成され、各保護棒（４Ｂ）は、水平辺（４Ｂ１）と垂直辺（４Ｂ２）を正面略逆Ｌ字状に連結して構成され、上端はリングの側面に連結され、下端は水平円輪状のフィルム押えに連結され、
横カッターガイド（５）は、水平円輪状のフィルム押え（４Ｃ）の上面に、平面略Ｌ状に折曲げられた４個のガイド用枠棒（５Ａ）の両端を、各保護棒（４Ｂ、４Ｂ、．．）の下端を挟んだ状態で取付けて、４枚のブレード（３Ａ、３Ａ、．．）を外方から遊嵌する平面十文字のガイド用横通路（５Ａ１）が形成され、ガイド用横通路（５Ａ１）は、各保護棒（４Ｂ）における水平辺（４Ｂ１）の真下に位置するよう構成され、
縦カッターガイド（６）は、各保護棒（４Ｂ、４Ｂ、．．）のうち所望する１本の保護棒（４Ｂ）と、この保護棒の真下に位置するガイド用枠棒（５Ａ）との間に前後２本の縦棒（６Ａ、６Ａ）を張設して、ブレード（３Ａ）を外方から遊嵌するガイド用縦通路（６Ｂ）が形成され、
スプリング止め具（７）は、縦柄（２）の中間部分に遊嵌されたリング体（７Ａ）と、リング体に縦柄方向に進退する蝶ボルト（７Ｂ）から構成され、
コイルスプリング（８）は、縦柄（２）の中間から下方部分に遊嵌され、上端はスプリング止め具（７）に接し、下端は保護枠（４）のリング（４Ａ）に接するよう構成されていることを特徴とするマルチフィルム十文字カッター。
【発明の詳細な説明】
【０００１】
【発明の属する技術分野】
本発明は、マルチフィルム十文字カッターに関するものである。
野菜や花および一部の畑作物では、作期の拡大や良品質・安定多収するためにマルチ栽培が普及している。
本発明は、このマルチフィルムに苗を植え込む穴をワンタッチで能率良く切り開く作業用具である。
本発明のものは、マルチフィルムに苗を植え込む穴を切り開く作業用具としては、既成の○型に切り抜く用具よりも能率が良く、汎用性があり、用具の耐久性等で格段に優っているものである。
【０００２】
【従来の技術】
マルチ栽培は、良品質・安定生産するための最も確実な栽培法として殆ど全ての野菜や花で行なわれている。
作物の種類によりその苗を植え込む数や間隔及び穴の大きさが多様である。
植え穴を開ける作業は必須であるが、この作業に用いる用具としては、通常のカッターナイフや既成の○型に切り抜くマルチフィルムカッターがある。
また、フィルムに事前に穴開け処理をしたシート（商品名〜ホーリーシート）を使用する場合もある。
【０００３】
【発明が解決しようとする課題】
従来の技術で述べたものにあっては、下記のような問題点を有していた。
１．既成の○型に切り抜くマルチフィルムカッターでは、スピーディにしかもきれいに○型に切り抜くためにはかなりの経験を要し、その切り抜き片も回収しなければならず能率が悪いこと、また、用具の切り刃の耐久性が無いために高価な消耗品として更新せざるを得ない問題があった。
２．フィルムに事前に穴開け処理をした製品（商品名〜ホーリーシート）は、対応できる作物は限られることから、大半は穴開け処理をしないフィルムを使用し、人力による穴開け作業に頼っている。
【０００４】
本発明は、従来の技術の有するこのような問題点に鑑みなされたものであり、その目的とするところは、次のようなことができるようにしたものである。
すなわち、上記の欠点を全て解決し、しかも、マルチの効果を損なわない十文字状に切り開くカッターを発明し、試作テストを重ねて満足できる成果品として完成した。
【０００５】
【課題を解決するための手段】
上記目的を達成するために、本発明は下記のようになるものである。
第１発明は、縦柄２と、縦柄２の下端に取付け取外し自在に取付けられた十文字カッター部３と、縦柄２の下端に十文字カッター部を囲む状態で取付けられた保護枠と、横カッターガイド５と、縦カッターガイド６と、スプリング止め具７と、コイルスプリング８から構成され、
Ａ．縦柄２は、所定寸法に構成された丸棒体２Ａと、丸棒体の上端に正面Ｔ字状に取付けられた握り手２Ｂから構成され、
Ｂ．十文字カッター部３は、平面十文字状に連結された４枚の正面方形のブレード３Ａ、３Ａ、．．と、これら各ブレード３Ａ、３Ａ、．．の下面に中心より斜め上方に向け形成された傾斜刃３Ａ１、３Ａ１、．．から構成され、
Ｃ．保護枠は、中心に縦柄が昇降自在に貫入される円孔を有するリング４Ａと、リングを中心に配設された保護棒４Ｂ、４Ｂ、．．と、保護棒の下端に連結された水平円輪状のフィルム押え４Ｃから構成され、
Ｄ．横カッターガイド５は、水平円輪状のフィルム押え４Ｃの上面において、４枚のブレード３Ａ、３Ａ、．．を外方から遊嵌する平面十文字のガイド用横通路５Ａ１が形成され、
Ｅ．縦カッターガイド６は、保護棒４Ｂにブレード３Ａを外方から遊嵌するガイド用縦通路６Ｂが形成され、
Ｆ．スプリング止め具７は、縦柄２の中間部分に遊嵌されたリング体７Ａと、リング体に縦柄方向に進退する蝶ボルト７Ｂから構成され、
Ｇ．コイルスプリング８は、縦柄２の中間から下方部分に遊嵌され、上端はスプリング止め具７に接し、下端は保護枠のリング４Ａに接するよう構成されているマルチフィルム十文字カッターである。
【０００６】
第２発明は、縦柄２と、縦柄２の下端に取付け取外し自在に取付けられた十文字カッター部３と、縦柄２の下端に十文字カッター部を囲む状態で取付けられた保護枠と、横カッターガイド５と、縦カッターガイド６と、スプリング止め具７と、コイルスプリング８から構成され、
Ａ．縦柄２は、所定寸法に構成された丸棒体２Ａと、丸棒体の上端に正面Ｔ字状に取付けられた握り手２Ｂと、丸棒体の下端面中央に開設されたメスねじ穴２Ｃから構成され、
Ｂ．十文字カッター部３は、平面十文字状に連結された４枚の正面方形のブレード３Ａ、３Ａ、．．と、これら各ブレード３Ａ、３Ａ、．．の下面に中心より斜め上方に向け形成された傾斜刃３Ａ１、３Ａ１、．．と、４枚のブレード３Ａ、３Ａ、．．における上面中心に上方に向け植設されたオスねじ３Ｂから構成され、
Ｃ．保護枠は、中心に縦柄が昇降自在に貫入される円孔を有するリング４Ａと、リングを中心に四方に配設された保護棒４Ｂ、４Ｂ、．．と、保護棒の下端に連結された水平円輪状のフィルム押え４Ｃから構成され、各保護棒４Ｂは、水平辺４Ｂ１と垂直辺４Ｂ２を正面略逆Ｌ字状に連結して構成され、上端はリングの側面に連結され、下端は水平円輪状のフィルム押えに連結され、
Ｄ．横カッターガイド５は、水平円輪状のフィルム押え４Ｃの上面に、平面略Ｌ状に折曲げられた４個のガイド用枠棒５Ａの両端を、各保護棒４Ｂ、４Ｂ、．．の下端を挟んだ状態で取付けて、４枚のブレード３Ａ、３Ａ、．．を外方から遊嵌する平面十文字のガイド用横通路５Ａ１が形成され、ガイド用横通路５Ａ１は、各保護棒４Ｂにおける水平辺４Ｂ１の真下に位置するよう構成され、
Ｅ．縦カッターガイド６は、各保護棒４Ｂ、４Ｂ、．．のうち所望する１本の保護棒４Ｂと、この保護棒の真下に位置するガイド用枠棒５Ａとの間に前後２本の縦棒６Ａ、６Ａを張設して、ブレード３Ａを外方から遊嵌するガイド用縦通路６Ｂが形成され、
Ｆ．スプリング止め具７は、縦柄２の中間部分に遊嵌されたリング体７Ａと、リング体に縦柄方向に進退する蝶ボルト７Ｂから構成され、
Ｇ．コイルスプリング８は、縦柄２の中間から下方部分に遊嵌され、上端はスプリング止め具７に接し、下端は保護枠のリング４Ａに接するよう構成されているマルチフィルム十文字カッターである。
【０００７】
【発明の実施の形態】
以下、本発明の実施の形態を実施例にもとづき図面を参照して説明する。
１は本発明のマルチフィルム十文字カッターで、縦柄２と、縦柄２の下端に取付け取外し自在に取付けられた十文字カッター部３と、縦柄２の下端に十文字カッター部を囲む状態で取付けられた保護枠４と、横カッターガイド５と、縦カッターガイド６と、スプリング止め具７と、コイルスプリング８から構成されている。
【０００８】
Ａ．縦柄２は、所定寸法に構成された丸棒体２Ａと、丸棒体の上端に正面Ｔ字状に取付けられた握り手２Ｂと、丸棒体の下端面中央に開設されたメスねじ穴２Ｃから構成されている。
【０００９】
Ｂ．十文字カッター部３は、平面十文字状に連結された４枚の正面方形のブレード３Ａ、３Ａ、．．と、これら各ブレード３Ａ、３Ａ、．．の下面に中心より斜め上方に向け形成された傾斜刃３Ａ１、３Ａ１、．．と、４枚のブレード３Ａ、３Ａ、．．における上面中心に上方に向け植設されたオスねじ３Ｂから構成されている。
このオスねじ３Ｂはメスねじ穴２Ｃに螺合する。
【００１０】
Ｃ．保護枠４は、中心に縦柄が昇降自在に貫入される円孔を有するリング４Ａと、リングを中心に四方に配設された保護棒４Ｂ、４Ｂ、．．と、保護棒の下端に連結された水平円輪状のフィルム押え４Ｃから構成されている。
各保護棒４Ｂは、水平辺４Ｂ１と垂直辺４Ｂ２を正面略逆Ｌ字状に連結して構成され、上端はリングの側面に連結され、下端は水平円輪状のフィルム押えに連結されている。
この場合、フィルム押え４Ｃの直径は、十文字カッター部３における左右または前後方向あるいは左右または前後方向に連結された２枚のブレード３Ａ、３Ａの幅より少し長く構成されている。
【００１１】
Ｄ．横カッターガイド５は、フィルム押え４Ｃの上面に、平面略Ｌ状に折曲げられた４個のガイド用枠棒５Ａの両端を、各保護棒４Ｂ、４Ｂ、．．の下端を挟んだ状態で取付けて、４枚のブレード３Ａ、３Ａ、．．を外方から遊嵌する平面十文字のガイド用横通路５Ａ１が形成されている。
この場合、ガイド用横通路５Ａ１は、各保護棒４Ｂにおける水平辺４Ｂ１の真下に位置するよう構成されている。
【００１２】
Ｅ．縦カッターガイド６は、各保護棒４Ｂ、４Ｂ、．．のうち所望する１本の保護棒４Ｂと、この保護棒の真下に位置するガイド用枠棒５Ａとの間に前後２本の縦棒６Ａ、６Ａを張設して、ブレード３Ａを外方から遊嵌するガイド用縦通路６Ｂが形成されている。
【００１３】
Ｆ．スプリング止め具７は、縦柄２の中間部分に遊嵌されたリング体７Ａと、リング体に縦柄方向に進退する蝶ボルト７Ｂから構成されている。
したがって、蝶ボルト７Ｂの緊緩操作によってスプリング止め具７の位置を昇降調整することができる。
【００１４】
Ｇ．コイルスプリング８は、縦柄２の中間から下方部分に遊嵌され、上端はスプリング止め具７に接し、下端は保護枠４のリング４Ａに接するよう構成されている。
【００１５】
【実施例】
さらに、以下のような条件で実験した結果、極めて良好な結果が得られた。
握り手２Ｂからフィルム押え４Ｃまでの長さは７５ｃｍが作業に適している。フィルム押え４Ｃの直径は左右または前後方向に連結された２枚のブレードの幅より１ｃｍ程度大きく設定し、直径が１０ｃｍから２０ｃｍの大きさが作業に適している。
【００１６】
【発明の効果】
本発明は、上述の通り構成されているので次に記載する効果を奏する。
１．十文字に組んだブレードに傾斜刃が形成されているので、フィルムに押し込むことでマルチフィルムを切り開くことができる。
その際に刃の保護枠がマルチフィルムを強く展張するので容易に切れる。
２．十文字カッター部を引き抜くと同時にコイルスプリングにより十文字カッター部が自動的に保護枠に収納されて安全である。
３．押し込む深さを変えることで切り開く大きさを調節できる。
４．押し込む深さはスプリング止め具を移動することで事前に設定できる。
５．保護枠底部と側部に付けた横カッターガイド、縦カッターガイドにより刃の向きを安定させ、また、刃に付いた土を擦り落とす。
７．十文字カッター部は縦柄から取外すことができるので、交換及び研磨することができる。
【００１７】
８．さらに、既成の○型に切り抜くマルチフィルムカッター（イ）と、本発明のマルチフィルム十文字カッター（ロ）の得失を纏めると下記の通りである。
Ａ．汎用性について
ａ．作物の種類により穴の大小を変える必要があるが、
（イ）の場合〜適する穴径毎に用具が必要である。
（ロ）の場合〜押し込む深さにより無段階の穴径に対応できる。
ｂ．対応できるマルチフィルムについて
（イ）の場合〜紙マルチは切れにくい。
（ロ）の場合〜全てのフィルムに対応ができる。
Ｂ．作業性について
ａ．作物により植える穴数が多い。（＊注）
（イ）の場合〜１００穴当たり５．８分  （切り片回収時間を含む）
（ロ）の場合〜１００穴当たり１．６分  （切り片の回収は不要）
＊注  穴数の事例；１０ａ当たりトマト＝３．０００、スィートコーン＝４．４００、レタス＝５．０００〜８．０００、カーネーション３０．０００穴である。
ｂ．土やフィルムの張り方が多様である張り方の対応
（イ）の場合〜固い土や礫のある土は不向である。また、展張が緩いフィルムも不向である。
（ロ）の場合〜全ての土に対応できる。また、展張が緩いフィルムにも対応できる。
Ｃ．耐久性について
（イ）の場合〜８．０００〜１０．０００穴が限界である。
（ロ）の場合〜刃が堅固で、しかも研磨できる。
Ｄ．マルチ効果について
（イ）の場合〜○型に切り抜いた部分の地温や水分が不安定となり、また雑草が発生する。
（ロ）の場合〜切り抜き部分が無いため、マルチ効果が安定持続できる。
９．構成がシンプルでかつ堅固であると共に、組立が容易である、経済的である、などの効果をも有するものである。
【図面の簡単な説明】
【図１】全体の斜視図である。
【図２】同上の要部拡大図である。
【図３】Ａ−Ａ線拡大断面図である。
【図４】Ｂ−Ｂ線における要部拡大断面図である。
【図５】作業状態を説明する斜視図である。
【図６】作業状態を説明する縦断面図である。
【図７】作業状態を説明する縦断面図である。
【符号の説明】
１  マルチフィルム十文字カッター
２  縦柄
３  十文字カッター部
４  保護枠
５  横カッターガイド
６  縦カッターガイド
７  スプリング止め具
８  コイルスプリング
【図１】
0003647743.tif 000002
【図２】
0003647743.tif 000003
【図３】
0003647743.tif 000004
【図４】
0003647743.tif 000005
【図５】
0003647743.tif 000006
【図６】
0003647743.tif 000007
【図７】
0003647743.tif 000008